(57)【要約】【課題】均等化スイッチにおいて電流リークが発生した場合であっても、組電池における不必要な充電や過充電状態の発生を抑制し得る電池監視装置を提供すること。【解決手段】複数の単位電池Ｅを直列接続して構成される組電池２０に適用される電池監視装置Ａであって、複数の接続ラインＬと、複数の第１及び第２の分岐ラインＬＤａ及びＬＤｂと、監視回路１０と、を備え、前記監視回路１０は、複数の前記単位電池Ｅそれぞれの正極に接続された前記第１の分岐ラインＬＤａと負極に接続された前記第１の分岐ラインＬＤａの間に配設された複数の均等化スイッチＳＷと、複数の前記単位電池Ｅそれぞれの正極に接続された前記第２の分岐ラインＬＤｂと負極に接続された前記第１の分岐ラインＬＤａとを介して、複数の前記単位電池Ｅそれぞれの端子間電圧を検出する電圧検出部１１と、を有する。【選択図】図１
2018196292.tif 000002
【特許請求の範囲】
【請求項１】
複数の単位電池を直列接続して構成される組電池に適用される電池監視装置であって、
一端が複数の前記単位電池それぞれの接続端子に接続された複数の接続ラインと、
複数の前記接続ラインそれぞれの他端側から二股に分岐する複数の第１及び第２の分岐ラインと、
複数の前記第１及び第２の分岐ラインそれぞれが各別に接続された監視回路と、を備え、
前記監視回路は、
複数の前記接続ラインを介して複数の前記単位電池それぞれに対して並列接続されるように、複数の前記単位電池それぞれの正極に接続された前記第１の分岐ラインと負極に接続された前記第１の分岐ラインの間に配設された複数の均等化スイッチと、
複数の前記単位電池それぞれの正極に接続された前記第２の分岐ラインと負極に接続された前記第１の分岐ラインとを介して、複数の前記単位電池それぞれの端子間電圧を検出する電圧検出部と、
を有する、電池監視装置。
【請求項２】
複数の前記単位電池それぞれの端子間電圧のいずれかが第１の閾値よりも大きい場合、又は、複数の前記単位電池の隣接する二つの前記単位電池の端子間電圧の差が第２の閾値よりも大きい場合、前記均等化スイッチの故障と判定する故障判定部、を更に備える、
請求項１に記載の電池監視装置。
【請求項３】
複数の前記第１及び第２の分岐ラインは、それぞれ、当該ライン上に抵抗器を有する、
請求項１に記載の電池監視装置。
【発明の詳細な説明】
【技術分野】
【０００１】
本開示は、電池監視装置に関する。
【背景技術】
【０００２】
電気自動車等のように高出力が必要とされる蓄電システムにおいては、一般に、複数の単位電池を直列に接続して構成される組電池が使用される。
【０００３】
組電池を構成する単位電池は、セルの個体差により、充放電の際に各単位電池の電圧にばらつきが生じることがある。そのため、組電池の電池監視装置として、各単位電池に接続された監視回路に各単位電池の両端子を短絡させる均等化スイッチを設け、当該均等化スイッチをオンオフすることで各単位電池から放電させ、各単位電池の電圧ばらつきの均等化（セルバランス）を可能とするものが検討されている（例えば、特許文献１を参照）。
【先行技術文献】
【特許文献】
【０００４】
【特許文献１】特開２０１６−０５０８７０号公報
【発明の概要】
【発明が解決しようとする課題】
【０００５】
特許文献１の従来技術においては、複数の単位電池それぞれと並列に、均等化スイッチを接続する回路構成となっている（図４を参照して後述する）。そして、特許文献１の従来技術においては、均等化スイッチのオン／オフによって、複数の単位電池それぞれの端子間電圧が均等になるようにセルバランスを行う。
【０００６】
しかしながら、特許文献１の従来技術においては、均等化スイッチが端子間電圧を検出する電圧検出部と並列に設けられているため、当該均等化スイッチにおいて電流リークが発生した場合、電圧検出部において検出する端子間電圧の検出値が、実際の端子間電圧よりも低下してしまうという問題がある。その結果、組電池に対して充電が継続的又は高頻度に実行され、過充電状態が発生したり、更には単位電池の発熱や発煙等が生ずるおそれがある。
【０００７】
本開示は、上記問題点に鑑みてなされたものであり、均等化スイッチにおいて電流リークが発生した場合であっても、組電池における不必要な充電や過充電状態の発生を抑制し得る電池監視装置を提供することを目的とする。
【課題を解決するための手段】
【０００８】
前述した課題を解決する主たる本開示は、複数の単位電池を直列接続して構成される組電池に適用される電池監視装置であって、一端が複数の前記単位電池それぞれの接続端子に接続された複数の接続ラインと、複数の前記接続ラインそれぞれの他端側から二股に分岐する複数の第１及び第２の分岐ラインと、複数の前記第１及び第２の分岐ラインそれぞれが各別に接続された監視回路と、を備え、前記監視回路は、複数の前記接続ラインを介して複数の前記単位電池それぞれに対して並列接続されるように、複数の前記単位電池それぞれの正極に接続された前記第１の分岐ラインと負極に接続された前記第１の分岐ラインの間に配設された複数の均等化スイッチと、複数の前記単位電池それぞれの正極に接続された前記第２の分岐ラインと負極に接続された前記第１の分岐ラインとを介して、複数の前記単位電池それぞれの端子間電圧を検出する電圧検出部と、を有する、電池監視装置である。
【発明の効果】
【０００９】
本開示に係る電池監視装置によれば、均等化スイッチにおいて電流リークが発生した場合であっても、組電池における不必要な充電や過充電状態の発生を抑制することができる。
【図面の簡単な説明】
【００１０】
【図１】実施形態に係る電池監視装置の構成の一例を示す図
【図２】実施形態に係る電池監視装置の均等化処理について説明する図
【図３】実施形態に係る電池監視装置の均等化スイッチにおいて電流リークが発生した場合の動作について説明する図
【図４】従来技術に係る電池監視装置の均等化スイッチにおいて電流リークが発生した場合の動作について説明する図
【発明を実施するための形態】
【００１１】
［電池監視装置の構成］
以下、図１を参照して、本発明の一実施形態に係る電池監視装置Ａの構成の一例について説明する。本実施形態に係る電池監視装置Ａは、例えば、電気自動車やハイブリッド車等に搭載される組電池に適用される。
【００１２】
図１は、本実施形態に係る電池監視装置Ａの構成の一例を示す図である。
【００１３】
本実施形態に係る組電池の電池監視装置Ａは、組電池２０の端子Ｐ１〜Ｐ３と接続する接続ラインＬ１〜Ｌ３、接続ラインＬ１〜Ｌ３から分岐する分岐ラインＬＤａ１〜ＬＤｂ３、分岐ラインＬＤａ１〜ＬＤｂ３それぞれと接続する監視回路１０、及び制御装置１５を備えている。
【００１４】
組電池２０は、接続端子Ｐ１〜Ｐ３を介して、複数の単位電池Ｅ１〜Ｅ２が直列に接続されて構成されている。図１中では、組電池２０を構成する複数の単位電池のうち、代表的な２つの単位電池Ｅ１〜Ｅ２のみを示している。尚、以下では、各構成の配置について特に区別しない場合には、単位電池Ｅ、接続端子Ｐ、接続ラインＬ、分岐ラインＬＤ等と略称して説明する。
【００１５】
単位電池Ｅは、例えば、リチウムイオン二次電池や電気二重層キャパシタ等であって、一個又は複数個の電池セルの直列接続体によって構成される。尚、単位電池Ｅを構成する電池セルの個数は、それぞれ、互いに異なるものであってもよい。
【００１６】
各単位電池Ｅ１〜Ｅ２の接続端子Ｐ１〜Ｐ３には、接続ラインＬ１〜Ｌ３が接続されている。接続ラインＬ１は、一端側が接続端子Ｐ１に接続され、他端側が二股に分岐した一対の分岐ラインＬＤａ１及びＬＤｂ１に接続されている。又、接続ラインＬ２は、一端側が接続端子Ｐ２に接続され、他端側が二股に分岐した一対の分岐ラインＬＤａ２及びＬＤｂ２に接続されている。又、接続ラインＬ３は、一端側が接続端子Ｐ３に接続され、他端側が二股に分岐した一対の分岐ラインＬＤａ３及びＬＤｂ３に接続されている。そして、分岐ラインＬＤａ１〜ＬＤｂ３は、それぞれ、各別に監視回路１０に設けられた端子ＣＤ１〜ＣＤ５に接続する。
【００１７】
より詳細には、分岐ラインＬＤａ１〜ＬＤｂ３は、電圧検出の際に基準電位を規定すると共に、均等化処理の際に放電電流を通流させる分岐ラインＬＤａ１、ＬＤａ２、ＬＤａ３（以下、「基準ライン」又は「第１の分岐ライン」とも称する）と、各単位電池Ｅの電圧検出用の分岐ラインＬＤｂ１、ＬＤｂ２、ＬＤｂ３（以下、「電圧検出ライン」又は「第２の分岐ライン」とも称する）と、を含んで構成される。尚、基準ラインＬＤａ１、ＬＤａ２、ＬＤａ３は、監視回路１０が電圧検出を行う際に、接続ラインＬ１〜Ｌ３を介して接続された単位電池Ｅの負極の電位を規定する（詳細は後述）。
【００１８】
分岐ラインＬＤａ１〜ＬＤｂ３には、フィルタ回路１３が設けられている。より詳細には、フィルタ回路１３は、分岐ラインＬＤｂ１、ＬＤｂ２、ＬＤｂ３に設けられた抵抗器Ｒｆ２〜Ｒｆ３、分岐ラインＬＤａ１、ＬＤａ２、ＬＤａ３に設けられた抵抗器Ｒａ１〜Ｒａ３、及び、分岐ラインＬＤａ１−ＬＤｂ２間と分岐ラインＬＤａ２−ＬＤｂ３間に配設されたコンデンサＣｆ１〜Ｃｆ２を含んで構成される。
【００１９】
尚、抵抗器Ｒｆ２〜Ｒｆ３及びＣｆ１〜Ｃｆ２は、ＲＣ回路を構成し、電圧検出の際にノイズを除去するフィルタとして機能する。又、抵抗器Ｒａ１〜Ｒａ３は、均等化処理の際に電流制限用抵抗として機能する。
【００２０】
監視回路１０は、端子ＣＤ１〜ＣＤ５を介して各分岐ラインＬＤａ１〜ＬＤｂ３それぞれに接続され、各単位電池Ｅの端子間電圧を検出すると共に、各単位電池Ｅを個別に放電させることで各単位電池Ｅの端子間電圧のばらつきを均等化する。
【００２１】
本実施形態に係る監視回路１０は、各単位電池Ｅの電圧を検出する電圧検出部１１、均等化スイッチＳＷ１〜ＳＷ２、及び各均等化スイッチＳＷ１〜ＳＷ２のオンオフを切り替えるスイッチ切替回路１２、を含んで構成される。
【００２２】
電圧検出部１１は、各単位電池Ｅの端子間電圧を検出する。本実施形態に係る電圧検出部１１は、各単位電池Ｅの正極に接続された電圧検出ラインＬＤｂと負極に接続された基準ラインＬＤａとを介して、各単位電池Ｅの端子間電圧を検出する。換言すると、電圧検出部１１は、基準ラインＬＤａの電位を基準として、当該基準ラインＬＤａと電圧検出ラインＬＤｂとの電位差に基づいて、検出対象の単位電池Ｅの端子間電圧を検出する。
【００２３】
具体的には、電圧検出部１１は、電圧検出ラインＬＤｂ２と基準ラインＬＤａ１の電位差に基づいて単位電池Ｅ１の端子間電圧を検出し、電圧検出ラインＬＤｂ３と基準ラインＬＤａ２の電位差に基づいて単位電池Ｅ２の端子間電圧を検出する。尚、電圧検出部１１は、各単位電池Ｅの端子間電圧に係る検出信号を制御装置１５に対して送信する。
【００２４】
本実施形態に係る電圧検出部１１は、例えば、制御装置１５からの制御信号に応じて各分岐ラインＬＤから２つの分岐ラインＬＤ（上記した電圧検出ラインＬＤｂと基準ラインＬＤａ）を選択するマルチプレクサと、選択された２つの分岐ラインＬＤの電位差を検出するセンサ部と、を含んで構成される。
【００２５】
均等化スイッチＳＷ１〜ＳＷ２は、各単位電池Ｅ１〜Ｅ２に対応して設けられ、各単位電池Ｅ１〜Ｅ２のうち、高電圧状態の単位電池Ｅの正極と負極を短絡させ、当該単位電池Ｅを放電することで、各単位電池Ｅの端子間電圧のばらつきを均等化する。尚、均等化スイッチＳＷ１〜ＳＷ２は、例えば、ＭＯＳトランジスタ等によって構成される。
【００２６】
本実施形態に係る均等化スイッチＳＷは、接続ラインＬを介して各単位電池Ｅに対して並列接続されるように、各単位電池Ｅの正極に接続された基準ラインＬＤａと負極に接続された基準ラインＬＤａの間に配設される。
【００２７】
スイッチ切替回路１２は、各均等化スイッチＳＷのオンオフを切り替えるスイッチ切替手段であり、制御装置１５からの制御信号に応じて、所定の単位電池Ｅに対応する均等化スイッチＳＷをオンする。
【００２８】
制御装置１５は、電圧検出部１１及びスイッチ切替回路１２に対して制御信号を出力して、各単位電池Ｅの端子間電圧を検出する電圧検出処理、及び各単位電池Ｅの端子間電圧のばらつきを均等化する均等化処理を実行する。尚、本実施形態に係る制御装置１５（「故障判定部」に相当）は、各単位電池Ｅの端子間電圧に基づいて、均等化スイッチＳＷの故障を判定する機能も有する。
【００２９】
尚、制御装置１５は、例えば、マイコン等で構成され、ＣＰＵがＲＯＭ、ＲＡＭ等に記憶された制御プログラムや各種データを参照することによって動作する。
【００３０】
［電池監視装置の動作］
次に、図２〜図４を参照して、本実施形態に係る電池監視装置Ａの動作について説明する。
【００３１】
図２は、本実施形態に係る電池監視装置Ａの均等化処理について説明する図である。図２には、一例として、単位電池Ｅ１から放電を行った場合に放電電流が通流する経路（点線矢印）を示している。
【００３２】
制御装置１５は、均等化処理の際、各単位電池Ｅのうち、放電対象となる単位電池Ｅを決定し、該当単位電池Ｅの放電を指示する制御信号をスイッチ切替回路１２に入力する。スイッチ切替回路１２は、制御装置１５からの制御信号に応じて、放電対象となる単位電池Ｅに対応する均等化スイッチＳＷをオンに切替える。
【００３３】
これにより、放電対象となる単位電池Ｅの正極に接続された基準ラインＬＤａと、当該単位電池Ｅの負極に接続された基準ラインＬＤａとの間が短絡し、当該単位電池Ｅからの放電が実行される。例えば、放電対象が単位電池Ｅ１の場合、単位電池Ｅ１からの放電電流は、図２の太線矢印で示すように、単位電池Ｅ１の正極、基準ラインＬＤａ２、均等化スイッチＳＷ１、基準ラインＬＤａ１、及び単位電池Ｅ１の負極で形成される閉回路を流れる。尚、このときの放電電流は、単位電池Ｅ１の端子間電圧と基準ラインＬＤａ１及びＬＤａ２に設けられた２つの抵抗Ｒａの抵抗値により決まる。
【００３４】
次に、図３、図４を参照して、均等化スイッチＳＷにおいて電流リークが発生した場合の電池監視装置Ａの動作について説明する。図３、図４の右側には、一例として、均等化スイッチＳＷ１において電流リークが発生したと仮定したときの、電圧検出部１１の検出位置における各分岐ラインＬＤの電位（以下、「分岐ラインＬＤの電位」と略称する）を表している。
【００３５】
図３は、本実施形態に係る電池監視装置Ａの回路構成を示し、図４は、比較例として、上記した従来技術に係る電池監視装置の回路構成を示している。図４の回路構成は、理解を容易にするため、図３の回路構成と対応するように記載しており、均等化スイッチＳＷ１及びＳＷ２の接続位置の一端側（高電位側）が、分岐ラインＬＤｂ２及びＬＤｂ３に接続されている点でのみ、図３の回路構成と相違する。
【００３６】
尚、図３、図４では、単位電池Ｅ１の負極の電位を基準電位Ｖ０、単位電池Ｅ１及びＥ２の端子間電圧を一定値Ｅ０、リーク電流による電圧降下分をｄＥとしたときの各分岐ラインＬＤの電位を表している。
【００３７】
従来技術に係る電池監視装置の均等化スイッチＳＷ１において電流リークが発生した場合、リーク電流は、図４の点線矢印で示すように、単位電池Ｅ１の正極、分岐ラインＬＤｂ２、均等化スイッチＳＷ１、分岐ラインＬＤａ１、及び単位電池Ｅ１の負極で形成される閉回路を流れる。
【００３８】
従って、分岐ラインＬＤｂ２の電位は、抵抗Ｒｆ２を通流するリーク電流分だけ電圧降下し、Ｖ０＋Ｅ０−ｄＥとなる。又、基準ラインＬＤａ１の電位は、抵抗Ｒａ１を通流するリーク電流分だけ基準電位Ｖ０より電圧が高いため、Ｖ０＋ｄＥとなる。
【００３９】
一方、分岐ラインＬＤａ２の電位は、リーク電流による電圧降下が生じていないため、Ｖ０＋Ｅ０となる。又、分岐ラインＬＤｂ３の電位も、リーク電流による電圧降下が生じていないため、同様に、Ｖ０＋２Ｅ０となる。
【００４０】
つまり、従来技術に係る電池監視装置においては、電圧検出部１１は、各単位電池Ｅの端子間電圧を以下のように検出する。
単位電池Ｅ１の端子間電圧：略Ｅ０−２ｄＥ［Ｖ］
単位電池Ｅ２の端子間電圧：略Ｅ０［Ｖ］
【００４１】
このように、従来技術に係る電池監視装置においては、均等化スイッチＳＷ１において電流リークが発生した場合、単位電池Ｅ１の端子間電圧の電圧が低下した状態として検出されることになる。その結果、組電池２０に対して継続的に充電が行われ、過充電状態となるおそれがある。
【００４２】
一方、図３の本実施形態に係る電池監視装置Ａの均等化スイッチＳＷ１において電流リークが発生した場合、リーク電流は、図３の点線矢印で示すように、単位電池Ｅ１の正極、基準ラインＬＤａ２、均等化スイッチＳＷ１、基準ラインＬＤａ１、及び単位電池Ｅ１の負極で形成される閉回路を流れる。
【００４３】
従って、基準ラインＬＤａ２の電位は、抵抗Ｒａ２を通流するリーク電流分だけ電圧降下し、Ｖ０＋Ｅ０−ｄＥとなる。又、基準ラインＬＤａ１の電位は、抵抗Ｒａ１を通流するリーク電流分だけ基準電位Ｖ０より電圧が高いため、Ｖ０＋ｄＥとなる。
【００４４】
一方、電圧検出ラインＬＤｂ２の電位は、リーク電流による電圧降下が生じないため、Ｖ０＋Ｅ０となる。又、電圧検出ラインＬＤｂ３の電位も、リーク電流による電圧降下が生じていないため、同様に、Ｖ０＋２Ｅ０となる。
【００４５】
つまり、本実施形態に係る電池監視装置Ａにおいては、電圧検出部１１は、各単位電池Ｅの端子間電圧を以下のように検出する。
単位電池Ｅ１の端子間電圧：略Ｅ０−ｄＥ［Ｖ］
単位電池Ｅ２の端子間電圧：略Ｅ０＋ｄＥ［Ｖ］
【００４６】
このように、本実施形態に係る電池監視装置Ａにおいては、均等化スイッチＳＷ１において電流リークが発生した場合、単位電池Ｅ２の端子間電圧の検出値を、実際の単位電池Ｅ２の端子間電圧Ｅ０よりも高い値として検出することになる。そして、本実施形態に係る電池監視装置Ａにおいては、そのリーク電流が大きくなるほど、当該単位電池Ｅ２の端子間電圧の検出値を高い値として検出することになる。換言すると、リーク電流が大きくなるほど、隣接する単位電池Ｅ１と単位電池Ｅ２の端子間電圧の検出値の差は、大きくなる。
【００４７】
従って、制御装置１５は、電圧検出部１１で検出される各単位電池Ｅの端子間電圧の上昇を監視することによって、均等化スイッチＳＷにおける電流リークの発生、及び当該電流リークが発生している位置を検知することができる。制御装置１５は、例えば、各単位電池Ｅの端子間電圧の検出値が所定の閾値以上になった場合、当該電流リークが発生したものと判定して、保護指令信号を生成する。これにより、制御装置１５は、例えば、組電池２０への充電を停止したり、組電池２０を使用する使用者に識別可能に表示装置（図示せず）に表示したりする。
【００４８】
この際、より望ましくは、制御装置１５（故障判定部）は、隣接する２つの単位電池Ｅの端子間電圧の検出値の差が所定の閾値以上になった場合、当該電流リークが発生したものと判定して、保護指令信号を生成する構成とする。当該構成とすることによって、電流リークが発生している状態と単位電池Ｅの満充電状態とを明確に識別することが可能になる。
【００４９】
以上のように、本実施形態に係る電池監視装置Ａによれば、均等化スイッチＳＷにおいて電流リークが発生した場合には、対応する位置の電圧検出部１１で当該状態を検出することができる。これによって、組電池２０に対して不必要に充電を繰り返したり、組電池２０において過充電状態が発生することを抑制することができる。
【００５０】
尚、上記実施形態では、電池監視装置Ａの制御装置１５の一例として、各単位電池Ｅの端子間電圧いずれかが上昇した場合、電流リークと判定する態様を示したが、制御装置１５は、必ずしも電流リークの状態と満充電状態とを識別する必要はない。当該構成としても、制御装置１５は、各単位電池Ｅの端子間電圧いずれかが上昇した場合には、組電池２０が満充電状態と判定するため、組電池２０への充電を停止することができる。
【００５１】
以上、本発明の具体例を詳細に説明したが、これらは例示にすぎず、請求の範囲を限定するものではない。請求の範囲に記載の技術には、以上に例示した具体例を様々に変形、変更したものが含まれる。
【００５２】
本明細書および添付図面の記載により、少なくとも以下の事項が明らかとなる。
【００５３】
複数の単位電池Ｅを直列接続して構成される組電池２０に適用される電池監視装置Ａであって、一端が複数の前記単位電池Ｅそれぞれの接続端子Ｐに接続された複数の接続ラインＬと、複数の前記接続ラインＬそれぞれの他端側から二股に分岐する複数の第１及び第２の分岐ラインＬＤａ及びＬＤｂと、複数の前記第１及び第２の分岐ラインＬＤａ及びＬＤｂそれぞれが各別に接続された監視回路１０と、を備え、前記監視回路１０は、複数の前記接続ラインＬを介して複数の前記単位電池Ｅそれぞれに対して並列接続されるように、複数の前記単位電池Ｅそれぞれの正極に接続された前記第１の分岐ラインＬＤａと負極に接続された前記第１の分岐ラインＬＤａの間に配設された複数の均等化スイッチＳＷと、複数の前記単位電池Ｅそれぞれの正極に接続された前記第２の分岐ラインＬＤｂと負極に接続された前記第１の分岐ラインＬＤａとを介して、複数の前記単位電池Ｅそれぞれの端子間電圧を検出する電圧検出部１１と、を有する、電池監視装置Ａである。
【００５４】
この電池監視装置Ａによれば、均等化スイッチＳＷにおいて電流リークが発生した場合には、対応する位置の電圧検出部１１で、高電圧の状態として検出することができる。そのため、この電池監視装置Ａは、組電池２０に対して不必要に充電を繰り返したり、組電池２０において過充電状態が発生することを抑制することができる。
【００５５】
又、この電池監視装置Ａにおいては、複数の前記単位電池Ｅそれぞれの端子間電圧のいずれかが第１の閾値よりも大きい場合、又は、複数の前記単位電池Ｅの連続する二つの前記単位電池Ｅの端子間電圧の差が第２の閾値よりも大きい場合、前記均等化スイッチＳＷの故障と判定する故障判定部、を更に備えるものであってもよい。
【００５６】
この電池監視装置Ａによれば、いずれかの均等化スイッチＳＷにおいて電流リークが発生した場合、当該電流リークの発生をその発生位置と共に検出することができるため、より確実に過充電状態の発生を抑制することができる。
【００５７】
又、この電池監視装置Ａにおいては、複数の前記第１及び第２の分岐ラインＬＤａ及びＬＤｂは、それぞれ、当該ライン上に抵抗素子を有するものであってもよい。
【産業上の利用可能性】
【００５８】
本開示に係る電池監視装置は、組電池に好適に用いることができる。
【符号の説明】
【００５９】
Ａ  電池監視装置
１０  監視回路
１１  電圧検出部
１２  スイッチ切替回路
１３  フィルタ回路
１５  制御装置
２０  組電池
Ｌ１〜Ｌ３  接続ライン
ＬＤａ１〜ＬＤａ３  基準ライン
ＬＤｂ１〜ＬＤｂ３  電圧検出ライン
Ｅ１〜Ｅ２  単位電池
Ｐ１〜Ｐ３  接続端子
ＣＤ１〜ＣＤ５  端子
ＳＷ１〜ＳＷ２  均等化スイッチ
【図１】
2018196292.tif 000003
【図２】
2018196292.tif 000004
【図３】
2018196292.tif 000005
【図４】
2018196292.tif 000006